(57)【要約】【課題】  電解還元水を供給する電解還元水サーバーを低コストで分散設置可能とする。【解決手段】  外部の水源から取水して電解還元水を連続的に生成する電解還元水生成装置５と、上記電解還元水生成装置から電解還元水を取水して貯水する貯水タンク９と、上記貯水タンクに貯水された電解還元水を取水して冷却貯水すると共に蛇口１１から供給する手段を有する冷水タンク１０と、上記貯水タンクに貯水された電解還元水を取水して加熱貯水すると共に蛇口１３から供給する手段を有する温水タンク１２を備えると共に、上記電解還元水生成装置には他の電解還元水サーバーの可搬性の水容器Ｂに注水するための注水ノズル２０を設ける。【選択図】      図１
0003120747.tif 000002
【実用新案登録請求の範囲】
【請求項１】
外部の水源から取水して電解還元水を連続的に生成する電解還元水生成装置と、上記電解還元水生成装置から電解還元水を取水して貯水する貯水タンクと、上記貯水タンクに貯水された電解還元水を取水して冷却貯水すると共に蛇口から供給する手段を有する冷水タンクと、上記貯水タンクに貯水された電解還元水を取水して加熱貯水すると共に蛇口から供給する手段を有する温水タンクを備えると共に、上記電解還元水生成装置には他の電解還元水サーバーの可搬性の水容器に注水するための注水ノズルを設けたことを特徴とする電解還元水サーバー。
【請求項２】
下記（１）の構成からなる注水ノズル洗浄装置を設けた請求項１記載の電解還元水サーバー。
（１）注水ノズルを挿入可能な有底筒状の内筒と、上記内筒が収容される有底筒状の外筒からなり、内筒中に挿入された注水ノズルより内筒内に注水された水を外筒に溢れださせるための第１排水手段を内筒の上方の箇所に設けると共に、外筒の底部には内筒から溢れ出た水を外部に排水するための第２排水手段を設け、内筒の底部には注水ノズルから内筒内に注水された水を排水するための第３排水手段を設け、単位時間あたりの第３排水手段からの排水量を第１排水手段からの排水量より少なく設定した注水ノズル洗浄装置。
【考案の詳細な説明】
【技術分野】
【０００１】
この考案は電解還元水を冷却又は加熱して供給する電解還元水サーバーに関する。
【背景技術】
【０００２】
水道水等の原水を電気分解し酸化還元電位を低下させた電解還元水（アノード水あるいはアルカリイオン水）を生成する電解還元水生成装置が公知である（特許文献１、特許文献１）。
【特許文献１】特開２００１−８７７６６号公報
【特許文献１】特開２００２−２５４０７８公報
【考案の開示】
【考案が解決しようとする課題】
【０００３】
前記の電解還元水生成装置は水道管に接続することにより原水を取水し、連続的に電解還元水を生成して供給するものであるが、生成は利用者からの給水要求により行なうオンデマンド作業なので、単位時間あたりの供給量は生成装置の電解還元水の生成能力に依存することとなる。前記したように電解還元水の生成は電気分解により行ない、又フィルター等の通水抵抗もあるので、水道の蛇口から水道水を直接採取する場合に比し単位時間あたりの供給量が少ないのが通常である。この場合、使用頻度が少ない家庭用の場合はさほどの不便さを感じないが、例えば船舶やオフィス等のように多数の者が頻繁に使用する場合は利用者が飲料容器に電解還元水を注ぐのに時間がかかり、他の利用者は待ち時間を強いられ上記の不便さが顕在化することになる。
【０００４】
この場合、複数台の電解還元水生成装置を船舶やオフィス内に分散して設置すれば多数の者の需要に応えることができるが、第一に装置自体のコストが嵩み、第二にそれぞれに水道の配管等の原水の水源を設けなくてはならない制約が生じることとなる。特に船舶で使用する場合は給水経路は限られているので後者の問題は切実である。又、電解還元水の生成能力を維持するには生成装置の電極の清掃などの定期的なメンテナンスが必須となるが、複数台の電解還元水生成装置を分散して設置した場合はその作業は大変煩雑なものとなり、専任の管理者が必要となる。
【課題を解決するための手段】
【０００５】
この考案は以上の従来技術の問題点を解消した電解還元水サーバーを提供することを目的として創作されたものであり、外部の水源から取水して電解還元水を連続的に生成する電解還元水生成装置と、上記電解還元水生成装置から電解還元水を取水して貯水する貯水タンクと、上記貯水タンクに貯水された電解還元水を取水して冷却貯水すると共に蛇口から供給する手段を有する冷水タンクと、上記貯水タンクに貯水された電解還元水を取水して加熱貯水すると共に蛇口から供給する手段を有する温水タンクを備えると共に、上記電解還元水生成装置には他の電解還元水サーバーの可搬性の水容器に注水するための注水ノズルを設けたことを特徴とする。
【０００６】
又、ここでは電解還元水サーバーの注水ノズルを洗浄する装置として、注水ノズルを挿入可能な有底筒状の内筒と、上記内筒が収容される有底筒状の外筒からなり、内筒中に挿入された注水ノズルより内筒内に注水された水を外筒に溢れださせるための第１排水手段を内筒の上方の箇所に設けると共に、外筒の底部には内筒から溢れ出た水を外部に排水するための第２排水手段を設け、内筒の底部には注水ノズルから内筒内に注水された水を排水するための第３排水手段を設け、単位時間あたりの第３排水手段からの排水量を第１排水手段からの排水量より少なく設定した注水ノズル洗浄装置も開示する。
【考案の効果】
【０００７】
この考案の電解還元水サーバーによれば、生成装置により生成された電解還元水は貯水タンクに一旦貯水された後に冷水又は温水として供給されるので、利用者が給水操作を行なわない時間を利用して貯水タンクには生成装置より電解還元水が常に貯水されることとなる。よって、電解還元水生成装置の生成能力に依存しない単位時間あたりの供給量が大きい電解還元水サーバーが実現され、船舶やオフィス等のように多数の者が頻繁に使用する場合でも待ち時間を強いることがなくなる。
【０００８】
又、電解還元水生成装置には他の電解還元水サーバーの可搬性の水容器に給水するための注水ノズルも設けられるので、この考案の電解還元水サーバーを利用して電解還元水生成装置を有しない複数台の電解還元水サーバーに電解還元水を供給することが可能となる。その結果、設置コストを節減して電解還元水を供給する複数の電解還元水サーバーを船舶やオフィス等に設置することが可能となり、特に給水経路が限られている船舶の場合に有用である。又、この場合、定期的なメンテナンスを必要とする電解還元水生成装置はこの考案のメインの電解還元水サーバーのみが備えればよいので、メンテナンス管理が容易である。
【０００９】
更に、この考案の注水ノズル洗浄装置によれば、外部に露出する注水ノズルを洗浄することにより雑菌を洗い流し、常に清潔に保つことが可能となる。
【考案を実施するための最良の形態】
【００１０】
以下、この考案の具体的実施例を添付図面に基づいて説明する。図１はこの考案の電解還元水サーバーの外観を示す図、図２は内部の水回路の概要を示すブロック図である。図中符号１は電解還元水サーバーの本体であり、筐体２内に電解還元水生成装置５、貯水タンク９、冷水タンク１０、温水タンク１２が収容されると共に、正面の上方には冷水タンクから冷却された電解還元水を供給するための冷水用蛇口１１、温水タンクから加熱された電解還元水を供給するための温水用蛇口１３が配される。又、外部には他の電解還元水サーバーの可搬性の水容器Ｂに給水するための注水ノズル２０が設けられる。
【００１１】
電解還元水生成装置５は電解槽内で原水を電気分解し、マイナスの電極側に電解還元水を、プラスの電極側に酸性水を生成する公知の構造のものである（例えば特許文献１）。この生成装置５は取水回路３を水道管等に接続することにより原水を取水し、生成した電解還元水を給水回路６に給水すると共に、同時に生成される酸性水を排水回路１９に排水する。上記給水回路６は更に貯水タンク９への給水回路７と外部の注水ノズル２０への給水回路１８に分岐する。
【００１２】
上記貯水タンク９の下方は冷媒コイル等により冷却を行う冷水タンク１０及び電熱ヒーター等により加熱を行う温水タンク１２に連通することにより、これらに電解還元水が供給される。上記冷水タンク１０及び温水タンク１２にはそれぞれ冷水用蛇口１１及び温水用蛇口１３が接続され、利用者はこれらの蛇口を利用して冷却又は加熱された電解還元水を得る。
【００１３】
図中符号４は電解還元水生成装置５への取水回路３に設けられる電磁弁、同じく８は貯水タンク９への給水回路７に設けられる電磁弁、同じく１７は注水ノズル２０への給水回路１８に設けられる電磁弁であり、図示しない制御装置により制御される。先ず、冷水タンク１０及び温水タンク１２からの電解還元水の消費により貯水タンク９の水位が設定以下に下がった場合は、貯水タンク９への給水回路７に設けられる電磁弁８が開放されると共に、生成装置５への取水回路３に設けられる電磁弁４が開放されて生成装置５により生成された電解還元水が貯水タンクに給水される。又、外部の注水ノズル２０の使用時は注水ノズル２０への給水回路１８に設けられる電磁弁１７が開放されると共に、生成装置５への取水回路３に設けられる電磁弁４が開放されて生成装置５により生成された電解還元水が注水ノズルに給水される。
【００１４】
図３は貯水タンク、冷水タンク及び温水タンクのより詳細な実施例を示す図である。この実施例においては貯水タンク９は底板９Ａとその下方に開口した冷水タンク１０との間に設けた隙間により冷水タンクに連通する。又、温水タンク１２とは貯水タンク９の底板９Ａ上に開口したパイプ１２Ａにより連通する。この場合、上記パイプ１２Ａは細孔１２Ｂにより冷水タンク１０の下方と連通する。上記貯水タンク９には水位を検出するためのセンサーが設けられる。図中符号Ｓ２は水位の下限Ｌを検出する低水位センサーであり、先端が水位の下限付近に達するよう設けられる。図中符号Ｓ３は給水開始水位Ｗを検出する高水位センサーであり、先端が給水開始水位Ｗ付近に達するよう設けられる。図中符号Ｓ１はセンサーＳ２、Ｓ３に対するアースセンサーであり、先端が水位の下限より下方に達するよう設けられる。以上のセンサーは近接して配されると共に、アースセンサーＳ１と低水位センサーＳ２間の電流値を計測することにより水位が下限に達したかを、アースセンサーＳ１と高水位センサーＳ３間の電流値を計測することにより水位が給水開始水位Ｗに達したかを判定する。即ち、水位の上下によるセンサー間の水の電気抵抗値の変化により水位を検出するわけであるが、水の電気抵抗値は水に溶けている電解物質の状態や水温により変化するので、例えばアースをタンク自体にとると電流値が一定せず誤判定するおそれがある。それに対し、この実施例のように、低水位センサーＳ２及び高水位センサーＳ３に近接してアースセンサーＳ１を配すると、安定した水位判定が可能となる。
【００１５】
前記したように、貯水タンク９の水位が給水開始水位以下に下がった場合は、整水装置５からの給水が行われるが、その動作は高水位センサーＳ３による給水開始水位の検出により行われる。この場合、上記の給水は、水位が上限Ｈに達するごとく設定したタイマーにより所定時間行われる。上限Ｈは可変であり、船舶の動揺による貯水タンクからの溢水防止のためユーザーが任意に設定することができる。
【００１６】
一方、この実施例においては特定時間（ここでは２４時間を想定）生成装置５が使用されなかった場合は衛生上の見地から貯水した水を自動的に排水して装置を洗浄する機能を設けている。具体的には生成装置５への取水回路３の電磁弁４の動作を監視し、それが特定時間不作動の場合は、温水タンク１２に接続される排水回路１４の電磁弁１５を開放して各タンク内の水を排水する。この場合、低水位センサーＳ２により水位が貯水タンク９の下限に達したのを検出後更にタイマーにより排水を所定時間行うことにより、先ず温水タンク１２内の水を排水する。次いで、温水タンクが空になった時点で温水タンク内の正圧が解消されることにより細孔１２Ｂにより冷水タンク１０の下方に連通したパイプ１２Ａから冷水タンク内の水を温水タンクを介して排水する。そして、所定時間経過後、排水回路１４の電磁弁１５を閉じ貯水タンクへの給水を行い、水位が上がって貯水タンク９の下限に達した段階で再度排水回路１４の電磁弁１５を開放して冷水タンク１０及び温水タンク１２の水を排水して洗浄作業を完了する。尚、この場合、同時に後記する注水ノズル２０の洗浄作業も行う。
【００１７】
図４乃至図６はこの考案の注水ノズルの洗浄装置２９を示す図である。この洗浄装置２９は注水ノズル２０のホルダーも兼ねており、注水ノズルの使用前及び前記した電解還元水サーバーの排水・洗浄時に注水ノズルを洗浄する機能を有する。上記洗浄装置２９は注水ノズル２０を挿入可能な有底筒状の内筒３０と、上記内筒が収容される有底筒状の外筒３３からなり、これらの下方には排水室３５が設けられる。上記の内筒３０中に挿入された注水ノズル２０から内筒内に注水された水を外筒３３に溢れださせるための第１排水手段３１を内筒の上方の箇所に設けると共に、外筒の底部には内筒から溢れ出た水を外部に排水するための第２排水手段３４を設け、内筒の底部には注水ノズルから内筒内に注水された水を排水するための第３排水手段３２が設けられる。そして、単位時間あたりの第３排水手段３２からの排水量を第１排水手段３１からの排水量より少なく設定している。この実施例においては第１排水手段３１は内筒３０の側壁に穿設した孔、第２排水手段３４は外筒３３の底部に穿設した孔、第３排水手段３２は内筒３０の底部に穿設した孔として構成され、各孔の径及び数により単位時間あたりの排水量を制御している。
【００１８】
上記の洗浄装置２９には注水ノズル２０が使用されていない時は常時挿入されており、注水ノズルの使用直前及び電解還元水サーバーの排水・洗浄時に注水ノズルのノズル孔２１から所定時間（ここでは１０秒間を想定）装置内に自動的に注水することによりノズルの自動洗浄を行う。図５に示すように、注水ノズル２０からの注水により内筒３０内には水（ドットで図示）が満たされ、これにより注水ノズルの洗浄が行われる。一方、水位が第１排水手段３１に達した段階で外筒３３内にオーバーフローして排水され、更には排水回路１９に接続された排水室３５に第２排水手段３４から排水される。この排水は注水ノズル２０からの自動洗浄の間続く。
【００１９】
次いで、注水終了と共に注水ノズル２０の洗浄が完了し、図６に示すように内筒３０の第１排水手段３１より下方にはオーバーフローできなかった水が残るが、この水は内筒の底部の第３排水手段３２より緩やかに排水される。
【図面の簡単な説明】
【００２０】
【図１】この考案の電解還元水サーバーの正面図。
【図２】同上、内部の水回路のブロック図。
【図３】同上、タンク部分の断面図。
【図４】同上、注水ノズル洗浄装置の一部切り欠き斜視図。
【図５】同上、注水ノズル洗浄装置の使用状態を示す断面図。
【図６】同上、注水ノズル洗浄装置の使用状態を示す断面図。
【符号の説明】
【００２１】
１                電解還元水サーバー
５                電解還元水生成装置
９                貯水タンク
１０              冷水タンク
１２              温水タンク
２０              注水ノズル
２９              注水ノズル洗浄装置
【図１】
0003120747.tif 000003
【図２】
0003120747.tif 000004
【図３】
0003120747.tif 000005
【図４】
0003120747.tif 000006
【図５】
0003120747.tif 000007
【図６】
0003120747.tif 000008